(57)【要約】本発明は、携帯機器にコンテンツを伝送するＩＰアダプタに関し、より詳しくは、コンテンツ提供サーバーから携帯機器に相応するコンテンツをダウンロードし、該携帯機器に伝送するＩＰアダプタ及びそれを用いたコンテンツ伝送方法に関する。本発明の一実施例による携帯機器にコンテンツを伝送するＩＰアダプタは、前記携帯機器の連結を感知し、所定の記録手段から前記携帯機器に相応するコンテンツ提供サーバーのＩＰアドレスを獲得するＩＰアドレス獲得部と、前記コンテンツ提供サーバーのＩＰアドレスを参照して、前記携帯機器に相応する前記コンテンツ提供サーバーとネットワーク連結するネットワーク連結部と、前記コンテンツ提供サーバーから前記携帯機器に相応するコンテンツをダウンロードするコンテンツダウンロード部と、前記ダウンロードされたコンテンツを前記携帯機器に伝送するコンテンツ伝送部と、を含むことを特徴とする。【選択図】図２
2009541841.tif 000002
【特許請求の範囲】
【請求項１】
携帯機器にコンテンツを伝送するＩＰアダプタにおいて、
前記携帯機器の連結を感知し、所定の記録手段から前記携帯機器に相応するコンテンツ提供サーバーのＩＰアドレスを獲得するＩＰアドレス獲得部と、
前記コンテンツ提供サーバーのＩＰアドレスを参照して、前記携帯機器に相応する前記コンテンツ提供サーバーとネットワーク連結するネットワーク連結部と、
前記コンテンツ提供サーバーから前記携帯機器に相応するコンテンツをダウンロードするコンテンツダウンロード部と、
前記ダウンロードされたコンテンツを前記携帯機器に伝送するコンテンツ伝送部と、を含むことを特徴とするＩＰアダプタ。
【請求項２】
前記ＩＰアダプタは、前記携帯機器を据え付け可能なクレードルに含まれることを特徴とする請求項１に記載のＩＰアダプタ。
【請求項３】
前記コンテンツダウンロード部は、前記携帯機器と連関して、前記コンテンツ提供サーバーに保存されたコンテンツダウンロード条件情報により、前記コンテンツ提供サーバーから前記携帯機器に相応するコンテンツをダウンロードすることを特徴とする請求項１に記載のＩＰアダプタ。
【請求項４】
前記ＩＰアダプタは、
前記携帯機器からコンテンツダウンロード条件情報を受信する条件情報受信部をさらに含み、
前記コンテンツダウンロード部は、
前記コンテンツダウンロード条件情報により、前記コンテンツ提供サーバーから前記携帯機器に相応するコンテンツをダウンロードすることを特徴すると請求項１に記載のＩＰアダプタ。
【請求項５】
前記コンテンツダウンロード部は、
前記コンテンツ提供サーバーから前記コンテンツに相応するライセンスを含めてダウンロードすることを特徴とする請求項１に記載のＩＰアダプタ。
【請求項６】
前記コンテンツ伝送部は、
前記連結された携帯機器のメモリ情報を識別するメモリ識別部を含み、
前記識別の結果、前記メモリ容量を超過する場合、一定の基準により、前記ダウンロードしたコンテンツを前記携帯機器に伝送することを特徴とする請求項１に記載のＩＰアダプタ。
【請求項７】
前記コンテンツ伝送部は、
前記コンテンツに対する時間別優先順位により、前記ダウンロードしたコンテンツを前記携帯機器に伝送することを特徴とする請求項６に記載のＩＰアダプタ。
【請求項８】
前記ＩＰアドレス獲得部は、
前記携帯機器から前記携帯機器の識別情報を受信する識別情報受信部を含み、
前記識別情報を参照して、前記記録手段から前記携帯機器に相応するコンテンツ提供サーバーのＩＰアドレスを獲得し、
前記ネットワーク連結部は、
前記携帯機器の識別情報を前記コンテンツ提供サーバーに伝送する識別情報伝送部を含むことを特徴とする請求項１に記載のＩＰアダプタ。
【請求項９】
携帯機器にコンテンツを伝送するＩＰアダプタを通じたコンテンツ伝送方法において、
前記携帯機器の連結を感知し、所定の記録手段から前記携帯機器に相応するコンテンツ提供サーバーのＩＰアドレスを獲得するステップと、
前記コンテンツ提供サーバーのＩＰアドレスを参照して、前記携帯機器に相応する前記コンテンツ提供サーバーとネットワーク連結するステップと、
前記コンテンツ提供サーバーから前記携帯機器に相応するコンテンツをダウンロードするステップと、
前記ダウンロードされたコンテンツを前記携帯機器に伝送するステップと、を含むことを特徴とするコンテンツ伝送方法。
【請求項１０】
前記ＩＰアダプタは、前記携帯機器を据え付け可能なクレードルに含まれることを特徴とする請求項９に記載のコンテンツ伝送方法。
【請求項１１】
前記携帯機器に相応するコンテンツをダウンロードするステップは、
前記携帯機器と連関して、前記コンテンツ提供サーバーに保存されたコンテンツダウンロード条件情報により、前記コンテンツ提供サーバーから前記携帯機器に相応するコンテンツをダウンロードすることを特徴とする請求項９に記載のコンテンツ伝送方法。
【請求項１２】
前記ＩＰアダプタを通じたコンテンツ伝送方法は、
前記連結された携帯機器からコンテンツダウンロード条件情報を受信するステップをさらに含み、
前記携帯機器に相応するコンテンツをダウンロードするステップは、
前記コンテンツダウンロード条件情報により、前記コンテンツ提供サーバーから前記携帯機器に相応するコンテンツをダウンロードすることを特徴とする請求項９に記載のコンテンツ伝送方法。
【請求項１３】
前記携帯機器に相応するコンテンツをダウンロードするステップは、
前記コンテンツ提供サーバーから前記コンテンツに相応するライセンスを含めてダウンロードすることを特徴とする請求項９に記載のコンテンツ伝送方法。
【請求項１４】
前記ダウンロードされたコンテンツを前記携帯機器に伝送するステップは、
前記連結された携帯機器のメモリ情報を識別するステップと、
前記識別の結果、前記メモリ容量を超過する場合、一定の基準により、前記ダウンロードしたコンテンツを前記携帯機器に伝送するステップと、を含むことを特徴とする請求項９に記載のコンテンツ伝送方法。
【請求項１５】
前記一定の基準により、前記ダウンロードしたコンテンツを前記携帯機器に伝送するステップは、
前記コンテンツに対する時間別優先順位により、前記ダウンロードしたコンテンツを前記携帯機器に伝送することを特徴とする請求項１４に記載のコンテンツ伝送方法。
【請求項１６】
前記携帯機器の連結を感知するステップは、
前記携帯機器から前記携帯機器の識別情報を受信するステップと、
前記識別情報を参照して、前記記録手段から前記携帯機器に相応するコンテンツ提供サーバーのＩＰアドレスを獲得するステップと、を含み、
前記携帯機器に相応する前記コンテンツ提供サーバーとネットワーク連結するステップは、
前記携帯機器の識別情報を前記コンテンツ提供サーバーに伝送するステップを含むことを特徴とする請求項９に記載のコンテンツ伝送方法。
【請求項１７】
請求項９乃至請求項１６のいずれか一項に記載の方法を実行するためのプログラムが記録されていることを特徴とするコンピュータで読み取り可能な記録媒体。
【発明の詳細な説明】
【技術分野】
【０００１】
本発明は、携帯機器にコンテンツを伝送するＩＰアダプタに関し、より詳しくは、コンテンツ提供サーバーから携帯機器に相応するコンテンツをダウンロードし、該携帯機器に伝送するＩＰアダプタ及びそれを用いたコンテンツ伝送方法に関する。
【背景技術】
【０００２】
最近、超高速データ通信網の発達につれて、多くの人がインターネットを用いており、このようなインターネット利用の増大と共に、使用者は、様々なマルチメディアコンテンツを容易に接することができるようになった。特に、デジタル圧縮技術の使用とインターネットまたはＰ２Ｐ方式を通じたマルチメディアコンテンツの共有は、飛躍的に増え、これにより、ＭＰ３プレイヤー等の携帯機器市場の成長を促進した。さらに、ＭＰ３ファイル、動画ファイル等のマルチメディアコンテンツを再生するＰＭＰ（Portable Multimedia Player）の登場により、携帯機器市場は次第に拡大される見通しである。
【０００３】
一方、ＰＤＡ、携帯電話等の携帯端末は、通信技術の発達及び使用者の使用が増加するにつれて、基本的に提供された音声電話サービス及びショートメッセージサービスから外れ、使用者のニーズに合わせてより多様な機能（例えば、ＭＰ３プレイヤー機能、カメラ機能等）を備え、使用者の便宜を提供している。
【０００４】
このようなＭＰ３プレイヤー、ＰＭＰ、通信端末等の携帯機器において、前記マルチメディアコンテンツを用いるためには、前記携帯機器の購入の際に内蔵されたマルチメディアコンテンツを用いるか、または、コンテンツ提供サーバーからマルチメディアコンテンツを携帯機器にダウンロードして用いる。
【０００５】
従来、前記マルチメディアコンテンツをダウンロードする方法の一例としては、ＰＤＡは、アクティブシンクを用いてマルチメディアコンテンツをダウンロードすることができた。アクティブシンクとは、コンピュータ端末とＰＤＡを相互連結させ、双方向データ伝送を可能にするプログラムであって、ＰＤＡをコンピュータと連結されたクレードルに据え付ける場合に活性化し、前記コンピュータ端末の特定のフォルダー内のマルチメディアコンテンツをＰＤＡにダウンロードすることができる。しかしながら、この方法は、コンピュータ端末をブートしなければ、マルチメディアコンテンツをダウンロードすることができず、使用者が直接、前記コンピュータ端末の特定のフォルダー内にマルチメディアコンテンツをアップデートしなければならないという問題があり、また、現在、提供されているアクティブシンクは、エラーが度々起こり、大容量データを伝送し難いという問題があった。
【０００６】
また、前記マルチメディアコンテンツをダウンロードする方法の他の例としては、ＭＰ３プレイヤー、ＰＭＰ、ＭＰ３フォン等の携帯機器においてマルチメディアコンテンツをダウンロードする場合、それぞれの携帯機器に該当するシンクプログラムをコンピュータ端末に設置しなければならず、携帯機器とコンピュータ端末を連結した後、前記シンクプログラムを駆動してマルチメディアコンテンツをダウンロードする。しかしながら、この方法も、コンピュータ端末をブートし、前記シンクプログラムを駆動しなければならず、携帯機器にダウンロード可能なマルチメディアコンテンツが音楽コンテンツ、動画コンテンツにのみ限定されており、また、有料のマルチメディアコンテンツをダウンロードするためには、複雑な購買手続きを行わなければならないという問題があった。
【０００７】
また、前記マルチメディアコンテンツをダウンロードする方法のまた他の例としては、マイクロソフト・ウィンドウズ（登録商標）にて提供するファイル伝送方法として、ウィンドウエクスプローラーを用いて、携帯機器にマルチメディアコンテンツを伝送する方法がある。しかしながら、ウィンドウエクスプローラーを用いてマルチメディアコンテンツを伝送する方法は、コンピュータ端末にマルチメディアコンテンツを保存していなければならない。したがって、使用者が直接、所望のマルチメディアコンテンツをインターネットから検索し、検索されたマルチメディアコンテンツのうち所望のマルチメディアコンテンツをダウンロードしてコンピュータに保存し、保存されたマルチメディアコンテンツをウィンドウエクスプローラーから前記携帯機器に伝送することができる。この場合、使用者は、その度にマルチメディアコンテンツを検索し、保存しなければならないという問題があった。また、有料のマルチメディアコンテンツの場合は、前記携帯機器に伝送することができないという問題があった。
【発明の開示】
【発明が解決しようとする課題】
【０００８】
本発明は、上述した従来技術の問題点を解決するためのものであり、ＰＣがなくても、使用者が携帯機器を取り付ける場合、自動に携帯機器の連結を感知し、前記携帯機器に相応するコンテンツ提供サーバーから前記携帯機器に相応するコンテンツをダウンロードし、ダウンロードされたコンテンツを携帯機器に伝送するようにするＩＰアダプタ及びそれを用いたコンテンツ伝送方法を提供することをその目的とする。
【０００９】
また、本発明は、ＰＣを経なくても、使用者から既設定されたコンテンツダウンロード条件情報によりコンテンツをダウンロードして携帯機器に伝送することにより、使用者が所望のコンテンツをより便利に携帯機器にダウンロードすることができるようにするＩＰアダプタ及びそれを用いたコンテンツ伝送方法を提供することをその目的とする。
【００１０】
また、本発明は、ＰＣを経なくても、それぞれの携帯機器に相応するコンテンツ提供サーバーからコンテンツをダウンロード可能にすることにより、携帯機器の種類に相応するコンテンツを携帯機器に伝送することができ、使用者がより便利にコンテンツをダウンロードすることができる。
【課題を解決するための手段】
【００１１】
上記目的を達成し、上述した従来技術の問題を解決するために、本発明の一実施例による携帯機器にコンテンツを伝送するＩＰアダプタは、前記携帯機器の連結を感知し、所定の記録手段から前記携帯機器に相応するコンテンツ提供サーバーのＩＰアドレスを獲得するＩＰアドレス獲得部と、前記コンテンツ提供サーバーのＩＰアドレスを参照して、前記携帯機器に相応する前記コンテンツ提供サーバーとネットワーク連結するネットワーク連結部と、前記コンテンツ提供サーバーから前記携帯機器に相応するコンテンツをダウンロードするコンテンツダウンロード部と、前記ダウンロードされたコンテンツを前記携帯機器に伝送するコンテンツ伝送部と、を含むことを特徴とする。
【００１２】
また、本発明の他の実施例によるＩＰアダプタを通じたコンテンツ伝送方法は、前記携帯機器の連結を感知し、所定の記録手段から前記携帯機器に相応するコンテンツ提供サーバーのＩＰアドレスを獲得するステップと、前記コンテンツ提供サーバーのＩＰアドレスを参照し、前記携帯機器に相応する前記コンテンツ提供サーバーとネットワーク連結するステップと、前記コンテンツ提供サーバーから前記携帯機器に相応するコンテンツをダウンロードするステップと、前記ダウンロードされたコンテンツを前記携帯機器に伝送するステップと、を含むことを特徴とする。
【００１３】
この際、ＩＰアダプタは、携帯機器とコンテンツ提供サーバーを連結する役割をする。したがって、ＰＣがなくても、携帯機器がネットワークを通じて適切なコンテンツをダウンロードすることができる。
【００１４】
参考として、本明細書において用いられる携帯機器は、携帯電話、ＭＰ３プレイヤー、携帯マルチメディアプレイヤー（PMP：Portable Multimedia Player）のいずれか一つ以上を含んでもよい。また、本発明において用いられるコンテンツは、ＭＰ３ファイル、ＷＭＡファイル等の音楽ファイル、ＭＰＧファイル、ＷＭＡ等の動画ファイル、Ｅ−Ｂｏｏｋ、ＨＴＭＬ記事ファイル、テキストファイル、イメージファイル、ゲームファイル、フラッシュファイル等の前記携帯機器で再生可能な全てのファイルを含んでもよい。
【発明の効果】
【００１５】
本発明によると、ＰＣがなくても、使用者が携帯機器を取り付ける場合、自動に携帯機器の連結を感知し、前記携帯機器に相応するコンテンツ提供サーバーから前記携帯機器に相応するコンテンツをダウンロードし、ダウンロードされたコンテンツを携帯機器に伝送することができる。
また、本発明によると、ＰＣを介さなくても、ＩＰアダプタにおいて、使用者から既設定されたコンテンツダウンロード条件情報によりコンテンツをダウンロードし、携帯機器に伝送することにより、使用者が所望のコンテンツをより便利に携帯機器にダウンロードすることができる。
また、本発明によると、ＰＣを介さなくても、それぞれの携帯機器に相応するコンテンツ提供サーバーからコンテンツをダウンロードすることにより、携帯機器の種類に相応するコンテンツを携帯機器に伝送することができ、使用者がより便利にコンテンツをダウンロードすることができる。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
図１は、本発明の一実施例によるＩＰアダプタを含むネットワーク構成の一例を示す図である。
図１を参照すると、ＩＰアダプタ１１０は、携帯機器１３０の連結を感知し、所定の記録手段から携帯機器１３０に相応するコンテンツ提供サーバー１２０のＩＰアドレスを獲得することができる。この際、前記ＩＰアダプタ１１０は、携帯機器１３０を据え付けることができるクレードルに含まれてもよい。
【００１８】
ＩＰアダプタ１１０は、前記獲得したコンテンツ提供サーバー１２０のＩＰアドレスを参照して、携帯機器１３０に相応するコンテンツ提供サーバー１２０とネットワーク連結し、コンテンツ提供サーバー１２０から携帯機器１３０に相応するコンテンツをダウンロードして携帯機器１３０に伝送するようにする。
【００１９】
図２は、本発明の一実施例によるＩＰアダプタの内部構成を示すブロック図である。
図２を参照すると、ＩＰアダプタ２００は、ＩＰアドレス獲得部２１０、ネットワーク連結部２２０、コンテンツダウンロード部２３０、条件情報受信部２４０、及びコンテンツ伝送部２５０を有する。
【００２０】
本発明の一実施例によると、ＩＰアダプタ２００は、前記携帯機器を据え付けることができるクレードルに含まれてもよい。
【００２１】
ＩＰアドレス獲得部２１０は、前記携帯機器の連結を感知し、所定の記録手段から前記携帯機器に相応するコンテンツ提供サーバーのＩＰアドレスを獲得する。一例として、使用者がＭＰ３プレイヤーをＩＰアダプタ２００に取り付ける場合、ＩＰアダプタ２００のＩＰアドレス獲得部２１０は、ＭＰ３プレイヤーの連結を感知し、前記記録手段から前記ＭＰ３プレイヤーに相応するコンテンツ提供サーバーのＩＰアドレスを獲得することができる。この際、ＩＰアダプタ２００そのものも、相応するＩＰアドレスを有することができる。
【００２２】
本発明の実施例により、前記記録手段は、一つ以上の携帯機器に相応するそれぞれのコンテンツ提供サーバーのＩＰアドレスを記録することができる。また、本発明によると、前記記録手段に記録された携帯機器に相応するコンテンツ提供サーバーのＩＰアドレスは、使用者の入力により追加または更新され得る。一例として、前記記録手段は、ＭＰ３プレイヤーに相応するコンテンツ提供サーバーのＩＰアドレスとして「１２０．８．１０４．１００」を記録することができ、ＰＭＰに相応するコンテンツ提供サーバーのＩＰアドレスとして「２１０．０．１０．１５１」を記録することができる。
【００２３】
図３は、図２に示したＩＰアドレス獲得部の一例を示す図である。
図３を参照すると、ＩＰアドレス獲得部２１０は、識別情報受信部３１０を含む。
識別情報受信部３１０は、前記携帯機器から前記携帯機器の識別情報を受信することができる。
【００２４】
ＩＰアドレス獲得部２１０は、前記識別情報を参照して、前記記録手段から前記携帯機器に相応するコンテンツ提供サーバーのＩＰアドレスを獲得することができる。すなわち、前記記録手段は、一つ以上の携帯機器の識別情報に相応して、それぞれのコンテンツ提供サーバーのＩＰアドレスを記録することができ、ＩＰアドレス獲得部２１０は、前記記録手段から前記携帯機器の識別情報に相応するコンテンツ提供サーバーのＩＰアドレスを獲得することができる。
【００２５】
さらに図２を参照すると、ネットワーク連結部２２０は、前記コンテンツ提供サーバー１２０のＩＰアドレスを参照して、前記携帯機器に相応する前記コンテンツ提供サーバーとネットワーク連結する。
【００２６】
図４は、図２に示したネットワーク連結部の一例を示す図である。
図４を参照すると、ネットワーク連結部２２０は、識別情報伝送部４１０を含む。
【００２７】
識別情報伝送部４１０は、前記コンテンツ提供サーバーとネットワーク連結された場合、前記携帯機器の識別情報を前記コンテンツ提供サーバーに伝送することができる。コンテンツ提供サーバーとＩＰアダプタ２００は、所定の有無線通信網で連結され得る。前記通信網としては、ＩＳＤＮ（Integrated Services Digital Network）、ＡＤＳＬ（Asymmetric Digital Subscriber Line）、ＬＡＮ（Local Area Networt）、Ｅｔｈｅｒｎｅｔ（登録商標）、ＴＣＰ／ＩＰ基盤通信網、または光通信網等を用いることができる。
【００２８】
本発明の実施例による前記識別情報は、前記携帯機器の使用者情報をさらに含んでもよい。すなわち、前記コンテンツ提供サーバーは、前記伝送された携帯機器の識別情報または使用者情報を用いて、前記携帯機器を認証し、前記携帯機器と連関したコンテンツ情報を検索し、前記携帯機器に相応するコンテンツを伝送することができる。
【００２９】
さらに図２を参照すると、コンテンツダウンロード部２３０は、前記コンテンツ提供サーバーから前記携帯機器に相応するコンテンツをダウンロードする。
【００３０】
本発明の一実施例によると、コンテンツダウンロード部２３０は、前記コンテンツ提供サーバーに前記携帯機器に相応するコンテンツを要請し、前記コンテンツに対する支払いを行い、前記コンテンツをダウンロードすることができる。一例として、前記記録手段に支払情報を記録することができ、コンテンツダウンロード部２３０は、前記記録手段を参照して、前記携帯機器に相応するコンテンツに対する支払いを行い、前記携帯機器に相応するコンテンツをダウンロードすることができる。
【００３１】
また、本発明の他の実施例によると、コンテンツダウンロード部２３０は、前記携帯機器と連関して、前記コンテンツ提供サーバーに保存されたコンテンツダウンロード条件情報により、前記コンテンツ提供サーバーから前記携帯機器に相応するコンテンツをダウンロードすることができる。
【００３２】
本発明の実施例により、前記使用者は、使用者端末において、有無線通信網を介して前記コンテンツ提供サーバーに接続し、前記携帯機器と連関された前記コンテンツダウンロード条件情報を登録することができる。前記使用者端末は、コンピュータ端末または通信端末等が含まれ得る。一例として、前記使用者は、前記携帯機器が携帯型マルチメディア再生機（ＰＭＰ）である場合、所定の放送コンテンツが前記コンテンツ提供サーバーにアップロードされる場合、前記携帯機器に前記放送コンテンツをダウンロードするように、前記コンテンツダウンロード条件情報を設定することができる。また他の例として、前記使用者は、前記携帯機器がＭＰ３プレイヤーである場合、「２０代」、「最新歌謡」、「バラード」に該当する音楽コンテンツをダウンロードするように、コンテンツダウンロード条件情報を設定することができる。また、本発明のまた他の実施例により、前記使用者は、電話端末を用いて、前記コンテンツ提供サーバーに前記コンテンツダウンロード条件情報を登録することもできる。
【００３３】
また、本発明のまた他の実施例によると、条件情報受信部２４０は、前記携帯機器からコンテンツダウンロード条件情報を受信し、コンテンツダウンロード部２３０は、前記コンテンツダウンロード条件情報により、前記コンテンツ提供サーバーから前記携帯機器に相応するコンテンツをダウンロードすることができる。
【００３４】
図５は、本発明の一実施例によるコンテンツダウンロード条件情報入力の一例を示す図である。
図５は、ＩＰアダプタと連結された携帯機器、またはコンテンツ提供サーバーと有無線インターネットで連結された使用者端末に表示される画面であってもよい。
【００３５】
図５を参照すると、前記使用者は、携帯機器において、ジャンル別、年齢別等のカテゴリー別に、前記条件情報を選択入力するユーザーインターフェースを通じて、前記コンテンツダウンロード条件情報の「ジャンル：ОＳＴ、歌謡」、「年齢：１０代、２０代」、「最新曲：人気ＴＯＰ１００」を選択入力することができ、条件情報受信部２４０は、前記選択入力されたコンテンツダウンロード条件情報を受信することができる。
【００３６】
また、本発明のまた他の実施例によると、条件情報受信部２４０は、前記コンテンツ提供サーバーから前記コンテンツに相応するライセンスを含めてダウンロードすることができる。本実施例による前記ライセンスは、ライセンス発給サーバーから前記携帯機器に相応するように発給されたものであってもよい。すなわち、一例として、前記コンテンツ提供サーバーは、前記ライセンス発給サーバーに、前記携帯機器の識別情報を含めた前記コンテンツのライセンス要請を伝送し、前記ライセンス発給サーバーから、前記要請による前記携帯機器に相応する前記コンテンツのライセンスを受信して、ＩＰアダプタ２００に伝送することができる。
【００３７】
コンテンツ伝送部２５０は、前記ダウンロードされたコンテンツを前記携帯機器に伝送する。
【００３８】
図６は、図２に示したコンテンツ伝送部の一例を示す図である。
図６を参照すると、コンテンツ伝送部２５０は、メモリ識別部６１０を含む。
メモリ識別部６１０は、前記連結された携帯機器のメモリ情報を識別することができ、コンテンツ伝送部２５０は、前記識別の結果、前記メモリ容量を超過する場合、一定の基準により、前記ダウンロードしたコンテンツを前記携帯機器に伝送することができる。
【００３９】
本発明の一実施例によると、コンテンツ伝送部２５０は、前記識別の結果、前記メモリ容量を超過する場合、前記コンテンツに対する時間別優先順位により、前記ダウンロードしたコンテンツを前記携帯機器に伝送することができる。
【００４０】
本発明の他の実施例によると、コンテンツ伝送部２５０は、前記識別の結果、前記メモリ容量を超過する場合、前記携帯機器に保存された一つ以上のコンテンツをランダムに選択して削除し、または、古いファイル順に削除するように制御し、前記ダウンロードしたコンテンツを前記携帯機器に伝送することができる。
【００４１】
本発明のまた他の実施例によると、コンテンツ伝送部２５０は、前記識別の結果、前記メモリ容量を超過する場合、前記コンテンツ伝送を中止することもできる。
【００４２】
本実施例によると、前記使用者は、前記ＩＰアダプタと連結された携帯機器、またはコンテンツ提供サーバーと有無線インターネットで連結された使用者端末に提供された前記ユーザーインターフェースを通じて、前記携帯機器のメモリ容量が超過する場合、前記ＩＰアダプタから伝送されるコンテンツに対するダウンロードの設定をすることができ、コンテンツ伝送部２５０は、前記メモリ容量を超過する場合、前記携帯機器のダウンロード設定により前記ダウンロードしたコンテンツを前記携帯機器に伝送することができる。一例として、前記ダウンロード設定は、ランダムファイル削除、古いファイル削除、コンテンツ伝送中止等を含んでもよい。
【００４３】
また、本発明のまた他の実施例によると、コンテンツダウンロード部２３０は、前記コンテンツ提供サーバーから、前記コンテンツダウンロード条件情報により、それぞれの携帯機器に相応するコンテンツをダウンロードし、前記記録手段に保存することもできる。コンテンツ伝送部２５０は、前記携帯機器が連結される場合、前記携帯機器に相応してダウンロードされたコンテンツを前記携帯機器に伝送することができる。
【００４４】
図７は、本発明の一実施例によるＩＰアダプタを通じたコンテンツ伝送方法を示す流れ図である。
図７を参照すると、ＩＰアダプタを通じたコンテンツ伝送方法は、前記携帯機器の連結を感知する（Ｓ７１０）。本発明の一実施例によると、前記ＩＰアダプタは、前記携帯機器を据付け可能なクレードルに含まれてもよい。
また、前記ＩＰアダプタを通じたコンテンツ伝送方法は、前記携帯機器の連結により、所定の記録手段から前記携帯機器に相応するコンテンツ提供サーバーのＩＰアドレスを獲得する（Ｓ７２０）。
【００４５】
図８は、図７に示した携帯機器の連結を感知する方法の一例を示す流れ図である。
図８を参照すると、前記ＩＰアダプタを通じたコンテンツ伝送方法は、前記携帯機器から携帯機器の識別情報を受信することができる（Ｓ８１０）。
また、前記ＩＰアダプタを通じたコンテンツ伝送方法は、前記識別情報を参照して、前記記録手段から前記携帯機器に相応するコンテンツ提供サーバーのＩＰアドレスを獲得することができる（Ｓ８２０）。
【００４６】
さらに図７を参照すると、前記ＩＰアダプタを通じたコンテンツ伝送方法は、前記コンテンツ提供サーバーのＩＰアドレスを参照して、前記携帯機器に相応する前記コンテンツ提供サーバーとネットワーク連結する（Ｓ７３０）。
本発明の一実施例によると、前記ＩＰアダプタを通じたコンテンツ伝送方法は、前記携帯機器の識別情報を前記コンテンツ提供サーバーに伝送することができる。
【００４７】
また、前記ＩＰアダプタを通じたコンテンツ伝送方法は、前記コンテンツ提供サーバーから前記携帯機器に相応するコンテンツをダウンロードする（Ｓ７４０）。
本発明の一実施例によると、前記ＩＰアダプタを通じたコンテンツ伝送方法は、前記携帯機器と連関して、前記コンテンツ提供サーバーに保存されたコンテンツダウンロード条件情報により、前記コンテンツ提供サーバーから前記携帯機器に相応するコンテンツをダウンロードすることができる。
【００４８】
また、本発明の他の実施例によると、前記ＩＰアダプタを通じたコンテンツ伝送方法は、前記連結された携帯機器からコンテンツダウンロード条件情報を受信することができ、前記携帯機器から受信された前記コンテンツダウンロード条件情報により、前記コンテンツ提供サーバーから前記携帯機器に相応するコンテンツをダウンロードすることができる。
【００４９】
また、本発明のまた他の実施例によると、前記ＩＰアダプタを通じたコンテンツ伝送方法は、前記コンテンツ提供サーバーから前記コンテンツに相応するライセンスを含めてダウンロードすることができる。
前記ＩＰアダプタを通じたコンテンツ伝送方法は、前記ダウンロードされたコンテンツを前記携帯機器に伝送する（Ｓ７５０）。
【００５０】
図９は、図７に示したコンテンツを前記携帯機器に伝送する方法の一例を示す流れ図である。
図９を参照すると、前記ＩＰアダプタを通じたコンテンツ伝送方法は、前記連結された携帯機器のメモリ情報を識別することができる（Ｓ９１０）。すなわち、前記ＩＰアダプタを通じたコンテンツ伝送方法は、前記連結された携帯機器のメモリ情報と、前記ダウンロードされたコンテンツのファイルのサイズ情報とを比較して、メモリ容量が超過するか否かを識別することができる。
【００５１】
また、ステップ（Ｓ９１０）における識別の結果、メモリ容量を超過する場合、一定の基準により、前記ダウンロードされたコンテンツを前記携帯機器に伝送することができる（Ｓ９２０）。
本発明の一実施例によると、前記ＩＰアダプタを通じたコンテンツ伝送方法は、前記コンテンツに対する時間別優先順位により、前記ダウンロードしたコンテンツを前記携帯機器に伝送することができる。
【００５２】
また、ステップ（Ｓ９１０）における識別の結果、メモリ容量を超過しない場合、前記ダウンロードされたコンテンツを前記携帯機器に伝送することができる（Ｓ９３０）。
【００５３】
また、本発明の他の実施例によると、ＩＰアダプタを通じたコンテンツ伝送方法は、前記コンテンツ提供サーバーから、前記コンテンツダウンロード条件情報により、それぞれの携帯機器に相応するコンテンツをダウンロードして、前記記録手段に保存することができ、前記携帯機器が連結される場合、前記ダウンロードされたコンテンツを前記携帯機器に伝送することができる。
【００５４】
本発明による前記ＩＰアダプタを通じたコンテンツ伝送方法は、多様なコンピュータ手段を通じて行われるプログラム命令の形態で具現され、コンピュータで読み取り可能な媒体に記録されてもよい。前記コンピュータで読み取り可能な媒体は、プログラム命令、データファイル、データ構造等を単独でまたは組み合わせて含むことができる。前記媒体に記録されるプログラム命令は、本発明のため特に設計され構成されたものであり、または、コンピュータソフトウェアの当業者に公知され使用可能なものであってもよい。コンピュータで読み取り可能な記録媒体としては、ハードディスク、フロッピー（登録商標）ディスク、及び磁気テープのような磁気媒体（magnetic media)、ＣＤ−ＲＯＭ、ＤＶＤのような光記録媒体（optical media）、フロプティカルディスクのような磁気−光媒体（magneto-optical media）、及びＲＯＭ、ＲＡＭ、フラッシュメモリ等のようなプログラム命令を保存して行うように、特に構成されたハードウェア装置が挙げられる。前記媒体は、プログラム命令、データ構造等を指定する信号を伝送する搬送波を含めた光または金属線、導波管等の伝送媒体であってもよい。プログラム命令の例には、コンパイラにより作られるような機械語コードのみならず、インタープリター等を用いてコンピュータにより行われる高級言語コードを含む。前記ハードウェア装置は、本発明の動作を行うために、一つ以上のソフトウェアモジュールとして作動するように構成されてもよく、その逆も同様である。
【００５５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００５６】
【図１】本発明の一実施例によるＩＰアダプタを含むネットワーク構成の一例を示す図である。
【図２】本発明の一実施例によるＩＰアダプタの内部構成を示すブロック図である。
【図３】図２に示したＩＰアドレス獲得部の一例を示す図である。
【図４】図２に示したネットワーク連結部の一例を示す図である。
【図５】本発明の一実施例によるコンテンツダウンロード条件情報入力の一例を示す図である。
【図６】図２に示したコンテンツ伝送部の一例を示す図である。
【図７】本発明の一実施例によるＩＰアダプタを通じたコンテンツ伝送方法を示す流れ図である。
【図８】図７に示した携帯機器の連結を感知する方法の一例を示す流れ図である。
【図９】図７に示したコンテンツを前記携帯機器に伝送する方法の一例を示す流れ図である。
【図１】
2009541841.tif 000003
【図２】
2009541841.tif 000004
【図３】
2009541841.tif 000005
【図４】
2009541841.tif 000006
【図５】
2009541841.tif 000007
【図６】
2009541841.tif 000008
【図７】
2009541841.tif 000009
【図８】
2009541841.tif 000010
【図９】
2009541841.tif 000011
【国際調査報告】
2009541841.tif 000012
2009541841.tif 000013